(57)【要約】      （修正有）【課題】脱臭機能を有する水の製造装置を提供する。【解決手段】水中でチタン酸化物光触媒物質が担持された多孔質炭素繊維に紫外線ランプ６あるいは太陽光の紫外線を照射することにより、水酸化ラジカルを水に含有させる機能を有した製造装置であり、この水酸化ラジカルを含有した水を悪臭対象物に噴霧することにより、空気中の悪臭成分を水分が被覆して分解していき、空気を浄化する脱臭機能水の製造装置１。【選択図】図１
0003132933.tif 000002
【実用新案登録請求の範囲】
【請求項１】
水中でチタン酸化物光触媒物質が担持された多孔質炭素繊維に紫外線ランプあるいは太陽光の紫外線を照射することにより、水酸化ラジカルを水に含有させる機能を有した製造装置。
【考案の詳細な説明】
【技術分野】
【０００１】
本考案は、脱臭機能を有する水の製造装置に関する。
【背景技術】
【０００２】
光触媒による水処理装置は、水中のダイオキシン類や内分泌撹乱化学物質、農薬、有機着色物質などの有機物を含む被処理水を処理する汚水処理装置（特開平13-327961）や、淡水の殺菌をメインとした淡水浄化装置（特開平17-111469）などがあるが、これらは光触媒と紫外線ランプを組み合わせ、光触媒反応で発生させた水酸化ラジカルによって、有害物の分解や脱色、殺菌を行うものであった。しかし、光触媒と紫外線ランプや太陽光などに含まれる紫外線を組み合わせ、光触媒反応で水酸化ラジカルを水中で発生させ、水酸化ラジカルを含有した水を吹き付けることによって脱臭や殺菌を行うという方法はこれまで述べられたことは無かった。
【特許文献１】特開平13-327961号公報
【特許文献２】特開平17-111469号公報
【０００３】
一方、近年、臭気に関する問題がクローズアップされている。家庭環境では生ゴミやトイレ、靴、外出後の衣服など、日常生活での個人の臭気への対策意欲が高まっている。また、病院や老人施設では、オムツ交換時や加齢臭等の脱臭が求められている。一方、廃棄物処理を行う現場では、例えば家庭から出るプラスチック類を分別する集積所では、家庭から回収されたプラスチック容器やトレーなどが未洗浄の場合が多く、プラスチックに付着する生ゴミが腐敗して悪臭を生じるために、作業環境および周囲環境への影響が問題とされている。
【０００４】
従来は芳香剤などの香料で臭いをマスキングするという手法が取られてきた。しかし、それだけでは単なるごまかしに過ぎず、また個々の嗜好性の問題から、逆に香料が不快感を覚えるという問題がある。
【考案の開示】
【考案が解決しようとする課題】
【０００５】
本発明は、チタン酸化物光触媒物質が担持された多孔質炭素繊維（以下、光触媒繊維）に水中で紫外線ランプあるいは太陽光の紫外線を照射することにより、酸化作用を持つ水酸化ラジカルを発生させ、脱臭機能を有する水を製造する装置を提供することを目的としている。
【課題を解決するための手段】
【０００６】
請求項１記載の考案は、水中でチタン酸化物光触媒物質が担持された多孔質炭素繊維に紫外線ランプあるいは太陽光の紫外線を照射することにより、水酸化ラジカルを水に含有させる機能を有した製造装置である。
【０００７】
水中において光触媒反応で水酸化ラジカルを発生させ、この水酸化ラジカルを含有した水を吹き付けることによって脱臭や殺菌を行うという方法で空気を浄化する。
【考案の効果】
【０００８】
請求項１記載の考案では、水中において光触媒反応で水酸化ラジカルを発生させ、この水酸化ラジカルを含有した水を製造することが出来る。水を使用し、紫外線ランプあるいは太陽光の紫外線を照射するだけなので、簡単に製造することが出来、吹き付けの対象物に害を与えることはないし、環境に悪影響を与える物ではない。また、芳香剤のように匂いでごまかすものではないため、匂いに酔うこともない。
【０００９】
この方法であれば、多量の脱臭機能水を製造し、この水を噴霧することで容易に一度で多量の処理ができるため、従来の方法で不可能であった広い範囲の悪臭にも対応が可能となる。
【考案を実施するための最良の形態】
【００１０】
以下、添付の図面を参照しながら、本考案の好ましい形態例について説明する。図１は水中において光触媒反応で水酸化ラジカルを含んだ水を製造する装置（以下、脱臭機能水製造装置）の図である。
【００１１】
脱臭機能水製造装置１は、水を入れる容器２の中に光触媒フィルター３を設置している。光触媒フィルター３は多孔質炭素繊維にチタン酸化物を担持した光触媒繊維４を袋５に入れてフィルターとしたものである。光触媒反応のための紫外線発生源を紫外線ランプから得るため、容器の内部に紫外線ランプ６を入れる。紫外線ランプ６は水中に入れるため、水が入らないように保護管７の中に収める。
【００１２】
容器２は脱臭機能水のベースとなる水を入れるため、水を貯留できれば良く、材質・容量共にどのようなものを使用しても良い。
【００１３】
光触媒フィルター３は多孔質炭素繊維にチタン酸化物を担持させた光触媒繊維４を、綿状にして袋５に入れてフィルターとする。ここで使用する光触媒繊維４は、通常細かな長い繊維が束状になっている。吸着や分解の性能を考えた時、繊維は１本１本がバラバラにほぐされた状態が望ましい。しかしながら、１本１本をほぐすことは大変な作業であるので、数ｃｍに切断して、かき回し、ある程度ほぐした状態で使用するが、分散できていればこの限りではない。
【００１４】
綿状の光触媒繊維４を入れる袋５は、光触媒繊維４が光をほぼすべて吸収し、透過しない程度の厚みに光触媒繊維４を詰め広げて使用するもので、光触媒繊維４の量は、最低でも１ｃｍ２あたり８〜10ｍｇが必要であるが、これ以上でも支障は無い。
【００１５】
袋５を作る材質については、光触媒繊維４を袋の中に納め、かつ多くの光を通し、紫外
線や水で劣化しないものが望ましく、金属製金網、耐紫外線性の性能を持つプラスチック網、不織布などが用いられるがこの限りではない。
【００１６】
また、光触媒フィルター３は図１では保護管７に入った紫外線ランプ６を取り巻くように筒状に配置しているが、この限りではなく、平列に並べたり、プリーツ状に組んだり、容器周縁に配置しても良い。
【００１７】
紫外線ランプ６は光触媒フィルター３が水と光触媒反応して水酸化ラジカルを発生させる際に必要な紫外線発生源であり、紫外線を発するものであれば、ブラックライト、殺菌灯、冷陰極ランプのいずれでもよい。
【００１８】
保護管７は紫外線ランプを水中に入れるための管であり、紫外線を透過させる素材であればよく、石英ガラス、ソーダガラスなどが好ましいが、この限りではなく、プラスチックやＰＥＴ樹脂などでも良い。
【００１９】
図２は光触媒反応のための紫外線発生源を太陽光から得る場合の脱臭機能水製造装置の図である。
【００２０】
脱臭機能水製造装置８は、水を入れる容器９中に光触媒フィルター１０を設置している。
【００２１】
水を入れる容器９は光触媒フィルター１０と反応させるための紫外線発生源を容器外から得るため、紫外線を透過する容器が望ましく、材質はガラスや透明ペット樹脂系などが好ましいがこの限りではない。また、容量も、携帯できる小型容器からＰＥＴボトルサイズ、ポリ缶、タンクなど、必要量に応じた物で、どのようなものを使用しても良い。
【００２２】
光触媒フィルター１０の構成としては、図１中の光触媒フィルター３に準拠する物である。形状は光触媒反応のための紫外線利用度を高めるために容器周縁を取り巻く形が好ましいが、この限りでなく、丸、長方形、ひし形、ハート型、キャラクター性のある物など、意匠性のある形状でも構わない。
【実施例１】
【００２３】
実施例１では紫外線を透過する500ｍｌの透明ガラス容器に光触媒フィルター（光触媒繊維量１ｇ）と井戸水500ｍｌを入れ、２０Ｗブラックライトで透明ガラス容器の横から紫外線を２時間照射して光触媒反応をさせ、水酸化ラジカルを含んだ脱臭機能水を製造した。
【００２４】
密閉した１ｍ3のアクリルＢＯＸ内に28％アンモニア水（ナカライテスク社製品）を気化させ、ＢＯＸ内のアンモニア濃度が70ppm前後になるように調整した。この中に脱臭機能水を吹き付けてアンモニアの減少濃度を測定した。
【００２５】
比較例１として蒸留水を、比較例２として水道水を同じ条件で吹き付けて、アンモニアの減少濃度を測定した。結果を図３に示す。
【００２６】
脱臭機能水は蒸留水の約３倍、水道水の約５倍のアンモニア脱臭能力があることが判った。
【実施例２】
【００２７】
実施例２では、100Ｌのポリ容器にソーダガラスのガラス管に入れた紫外線ランプ（20Ｗブラックライト）を１本入れ、紫外線ランプの周りを包み込むように光触媒フィルター（光触媒繊維量200ｇ）を配置して脱臭機能水製造装置とした。この装置に天然水を入れ、紫外線を３時間照射して光触媒反応をさせ、水酸化ラジカルを含んだ脱臭機能水を製造した。３時間単位で水の出し入れを繰り返し、100回ごとに700回まで脱臭機能水を採取した。
【００２８】
密閉した１ｍ3のアクリルＢＯＸ内に28％アンモニア水（ナカライテスク社製品）を気化させ、ＢＯＸ内のアンモニア濃度が70ppm前後になるように調整した。この中に脱臭機能水を吹き付けてアンモニアの減少濃度を測定した。結果を図４に示す。
【００２９】
アンモニアの減少は15〜17ppmと推移した。このことから、１日２回水を製造した場合でも１年間十分使用出来る耐性が光触媒フィルターにあることが判った。これは、光触媒繊維に焼付けするタイプのチタン溶液を使用しており、チタン酸化物の膜が強固ではがれにくいためである。
【実施例３】
【００３０】
実施例３では、1000Ｌのポリ容器にソーダガラスのガラス管に入れた紫外線ランプ（20Ｗブラックライト）を６本入れ、それぞれの紫外線ランプの周りを包み込むように光触媒フィルターを配置して脱臭機能水製造装置とした。この装置に天然水を入れ、紫外線を３時間照射して光触媒反応をさせ、水酸化ラジカルを含んだ脱臭機能水を製造した。
【００３１】
堆肥製造施設に脱臭機能水を持ち込み、悪臭の発生する貯蔵している上部に、脱臭機能水を１分間程度霧状に噴霧した。
【００３２】
結果、発生した悪臭は、ほとんどなくなりこの状態を２０分間程度持続した。このことから、この脱臭機能水を適当な間隔を開けて噴霧すれば、現場レベルでも悪臭を著しく軽減させることが判った。
【図面の簡単な説明】
【００３３】
【図１】脱臭機能水製造装置１の断面図
【図２】脱臭機能水製造装置８の断面図
【図３】各水のアンモニア減少濃度比較
【図４】光触媒フィルター耐久性について
【符号の説明】
【００３４】
１  脱臭機能水製造装置
２  容器
３  光触媒フィルター
４  光触媒繊維
５  袋
６  紫外線ランプ
７  保護管
８  脱臭機能水製造装置
９  容器
【図１】
0003132933.tif 000003
【図２】
0003132933.tif 000004
【図３】
0003132933.tif 000005
【図４】
0003132933.tif 000006
【手続補正書】
【提出日】平成19年3月10日(2007.3.10)
【手続補正１】
【補正対象書類名】実用新案登録請求の範囲
【補正対象項目名】全文
【補正方法】変更
【補正の内容】
【実用新案登録請求の範囲】
【請求項１】
水を貯える容器と、前記容器にチタン酸化物光触媒物質が担持された多孔質炭素繊維フィルターと紫外線ランプとを実装した、あるいは、前記容器が紫外線透過可能な物で前記フィルターを実装した、光触媒反応させる脱臭機能水製造装置。